(57)【特許請求の範囲】
【請求項１】
デスクトップ型パーソナルコンピュータと共に使用する多重チャネルオーディオスピーカシステムであって、
デスクトップ上に置くための底部表面とコンピュータモニタを支持するための最上部表面とを備えたキャビネットと、
前記キャビネットに内蔵された第１、第２および第３スピーカと、
前記キャビネットから離れて配置される第４と第５スピーカと、
前記第１、第２、第３、第４および第５スピーカにそれぞれ接続された少なくとも第１、第２、第３、第４および第５増幅チャネルとを含む増幅器と、
前記キャビネットに含まれる２個のサブウーファスピーカと、
第６および第７増幅チャネルを含み、その各々が前記２個のサブウーファスピーカの１つに接続された前記増幅器と、
少なくとも５個のオーディオデータチャネルを前記増幅器に伝送すると共に、第６低周波オーディオデータチャネルを伝送し、前記第６低周波データチャネルが分割され、かつ前記第６および第７増幅チャネルの各々に接続された一次入り口信号導体と
を有する多重チャネルオーディオスピーカシステム。
【請求項２】
更に、各サブウーファスピーカと関連する前方および後方チャンバ部分を画定するバフル作用を含む前記キャビネットと、各チャンバ部分を前記キャビネットの外部に導通させるポートを含む前記キャビネットを有する請求項１に記載のシステム。
【請求項３】
更に、前記増幅器をバイパスし、かつ前記５個のオーディオデータチャネルを前記第１から第５スピーカまでに伝送するバイパス入り口信号導体を有する請求項１に記載のシステム。
【請求項４】
更に、前記キャビネットに含まれるサブウーファスピーカと、
前記サブウーファスピーカに接続された第６増幅チャネルを含む前記増幅器を有する請求項３に記載のシステム。
【請求項５】
更に、前記キャビネットに含まれる２個のサブウーファスピーカと、
第６および第７増幅チャネルを含み、その各々が前記２個のサブウーファスピーカの１つに接続された前記増幅器と、
第６低周波オーディオデータチャネルを伝送し、前記第６低周波データチャネルが分割され、かつ前記第６および第７増幅器チャネルの各々に接続された、前記バイパス入り口導体をを有する請求項３に記載のシステム。
【請求項６】
前記キャビネットがその中に画定された第１、第２および第３スピーカ用開口を備えた前部壁体を含み、
前記第１、第２および第３スピーカが前記第１、第２および第３スピーカ用開口内に受け入れられる請求項１に記載のシステム。
【請求項７】
前記第１、第２および第３スピーカが相互に平行でない方向に向けられるように前記前部壁体が不規則な形状である請求項６に記載のシステム。
【請求項８】
更に、前記キャビネットに含まれた第１および第２サブウーファスピーカと、
前記第１と第２スピーカ用開口との間の前記前部壁体に画定された第１サブウーファスピーカ用開口および前記第２と第３スピーカ用開口との間の前記前部壁体に画定された第２サブウーファスピーカ用開口を有する前記キャビネットと、
それぞれ前記第１および第２サブウーファスピーカ用開口と導通する前記第１および第２サブウーファスピーカを有する請求項６に記載のシステム。
【請求項９】
Ｄｏｌｂｙ５．１オーディオ信号源との組合わせにおいて、前記第１、第２および第３スピーカとが左方と中央と右方前部スピーカであり、前記第４および第５スピーカとが左方と右方後部スピーカである請求項１に記載のシステム。
【請求項１０】
前記Ｄｏｌｂｙ５．１オーディオ信号源がパーソナルコンピュータに含まれる請求項９に記載のシステム。
【請求項１１】
前記Ｄｏｌｂｙ５．１オーディオ信号源がパーソナルコンピュータから分離したＨｉ−Ｆｉ受信機に含まれる請求項９に記載のシステム。
【請求項１２】
前記第４および第５スピーカが２個のマイクロホンスタンド上に支持される請求項１に記載のシステム。
【請求項１３】
前記キャビネットが幅と奥行きと高さを有し、前記奥行きが前記高さよりも大きく、前記幅が前記高さの少なくとも４倍大きい請求項１に記載のシステム。
【請求項１４】
前記キャビネットの奥行きが前記キャビネットの幅に沿って変化するように前記キャビネットが平面図において不規則な前部壁部を含む請求項１に記載のシステム。
【請求項１５】
前記キャビネットが中央部分および左右端末部分を含み、前記中央部分が前記コンピュータモニタを支持する前記最上表面を含む請求項１４に記載のシステム。
【請求項１６】
前記キャビネットの前記高さが少なくとも７インチである請求項１３に記載のシステム。
【請求項１７】
パーソナルコンピュータと共に使用するデスクトップ型スピーカシステムであって、
幅、奥行きおよび高さとを有するキャビネットを有し、前記奥行きが前記高さよりも大きく、前記幅が前記奥行きよりも大きく、
前記キャビネット内に内蔵された少なくとも３個のスピーカと、
少なくとも５個の増幅チャネルを含む増幅器とを有し、そのうちの３個が３個のスピーカに接続され、
前記キャビネットに含まれる２個のサブウーファスピーカと、
第６および第７増幅チャネルを含み、その各々が前記２個のサブウーファスピーカの１つに接続された前記増幅器と、
少なくとも５個のオーディオデータチャネルを前記増幅器に伝送すると共に、第６低周波オーディオデータチャネルを伝送し、前記第６低周波データチャネルが分割され、かつ前記第６および第７増幅チャネルの各々に接続された一次入り口信号導体を有する
デスクトップ型スピーカシステム。
【請求項１８】
前記キャビネットの前記奥行きが前記キャビネットの幅に沿って変化するように前記キャビネットが平面図において不規則な前部壁体を含む請求項１７に記載のシステム。
【請求項１９】
前記キャビネットが中央部分および左右端末部分を含み、前記中央部分が前記コンピュータモニタを支持する最上表面を有する請求項１８に記載のシステム。
【請求項２０】
前記キャビネットの前記高さが少なくとも７インチである請求項１７に記載のシステム。
【請求項２１】
前記キャビネットの前記幅が前記キャビネットの前記奥行きの少なくとも３倍である請求項１７に記載のシステム。
【請求項２２】
更に、前記キャビネットの前記３個のスピーカに接続されている前記チャネル以外の２個の前記増幅チャネルに接続された２個の個別リモートスピーカを有する請求項１７に記載のシステム。
【請求項２３】
更に、前記増幅器をバイパスし、かつ５個のオーディオデータチャネルを前記スピーカへ伝送するバイパス入り口信号導体を有する請求項２２に記載のシステム。
【請求項２４】
前記キャビネットがその中に画定された第１、第２および第３スピーカ用開口を備えた前部壁体を含み、
前記３個のスピーカが前記第１、第２および第３スピーカ用開口の各々に受け入れられる請求項１７に記載のシステム。
【請求項２５】
前記３個のスピーカが相互に平行でない方向に向けられるように前記前部壁体の形状が不規則である請求項２４に記載のシステム。
【請求項２６】
更に、前記キャビネットに含まれた第１および第２サブウーファスピーカと、
前記第１と第２スピーカ用開口との間の前記前部壁体に画定された第１サブウーファスピーカ用開口および前記第２と第３スピーカ用開口との間の前記前部壁体に画定された第２サブウーファスピーカ用開口を有する前記キャビネットと、
それぞれ前記第１および第２サブウーファスピーカ用開口と導通する前記第１および第２サブウーファスピーカを有する請求項２４に記載のシステム。
【発明の詳細な説明】
【０００１】
（技術分野）
本発明は一般的にハイファイオーディオスピーカシステムに関し、更に詳細にはパーソナルコンピュータと共に使用するために設計されたこの種のシステムに関する。
【０００２】
（技術的背景）
音響再生における現実性を一層強化するように数年にわたって様々なフォーマットの多重チャネルオーディオが開発されてきた。
【０００３】
最も初期のシステムは単一音響チャネルのみを有するモノフォニックであった。その次の開発は２つのチャネルを有するステレオフォニックサウンドであった。
【０００４】
その次に、例えば４チャネルを有するクゥアドラフォニックシステムなどの様々なサラウンド音響システムが開発された。最近開発された多重チャネル音響フォーマットの１つはしばしばＤｏｌｂｙ（登録商標）ＡＣ‐３又はＤｏｌｂｙ（登録商標）５．１とも呼ばれる同一システムである。Ｄｏｌｂｙ（登録商標）５．１システムは完全に分離された６チャネルの音響を送出する。このシステムは、部屋の正面に向かって左、中央、右前方チャネル、左および右後方チャネル、および、低周波オーディオデータを有する１つの第６チャネルが含まれる。
【０００５】
Ｄｏｌｂｙ（登録商標）５．１システムはもともと映画劇場等において高品質音響を提供するために開発されたが、最近では、家庭において幾つかの源から提供できるようになった。
【０００６】
現在では、一般にＤＶＤと呼ばれるデジタルビデオディスクにはＤｏｌｂｙ（登録商標）５．１サウンドトラックが含まれる。
【０００７】
現在では、販売されているパーソナルコンピュータのおそらく３０〜４０パーセントがＤＶＤプレーヤを含み、Ｄｏｌｂｙ（登録商標）５．１信号を復号するための手段を提供するはずである。
【０００８】
家庭環境においてＤｏｌｂｙ（登録商標）５．１信号用として現在利用可能な他の源はホームオーディオシステム用Ｈｉ−Ｆｉ受信機である。今日販売されているＨｉ−Ｆｉ受信機の大部分にはＤｏｌｂｙ（登録商標）５．１復号回路が含まれている。
【０００９】
現在販売されているパーソナルコンピュータのいくつかはＤｏｌｂｙ（登録商標）５．１音源を備えているという事実にもかかわらず、Ｄｏｌｂｙ（登録商標）５．１フォーマットから入手可能な６チャネル全ての音響情報を再現できるパーソナルコンピュータでの使用に適したスピーカシステムは今なお一切利用されていない。
【００１０】
パーソナルコンピュータに利用可能な代表的なオーディオシステムには、２つのデータチャネルだけを効果的に利用する１対のステレオスピーカが単に含まれるに過ぎない。
【００１１】
従って、当該技術分野においては、多重チャネル音響、および、例えばＤｏｌｂｙ（登録商標）５．１フォーマットのようなホームパーソナルコンピュータ環境に関連して特に洗練された多重チャネル音響を再現することの出来るオーディオスピーカシステムの需要がある。
【００１２】
本発明は、デスクトップ型パーソナルコンピュータで使用するための多重チャネルオーディオスピーカシステムを提供する。本システムにはデスク上に配置するための底表面およびコンピュータモニタを支持するための最上表面を備えたキャビネットが含まれる。キャビネットには少なくとも第１、第２および第３スピーカが内蔵される。第４および第５スピーカはキャビネットから離れて配置される。増幅器には第１、第２、第３、第４および第５スピーカにそれぞれ接続された少なくとも第１、第２、第３、第４および第５増幅チャネルが含まれる。一次入り口信号導体は少なくとも５つのオーディオデータチャネルを増幅器へ伝送する。
【００１３】
また、システムには、キャビネットに含まれ、かつ増幅器に含まれる第６増幅チャネルと関連した１つ又は複数のサブウーファスピーカが含まれる。増幅器は第６および第７両方の増幅チャネルを含むこともあり、この場合には、１つのシステムに２つのサブウーファが含まれる場合には、２つのサブウーファの一方がもう一方に接続される。このシステムでは、一次入り口信号導体が第６低周波オーディオデータチャネルを運び、第６チャネルは分割されて、第６と第７増幅器のそれぞれに接続される。
【００１４】
また、本システムには、増幅器をバイパスし、かつ第１から第５までのスピーカに向けられる最初の５つのオーディオデータチャネルを伝送するためのバイパス入り口信号導体が含まれることもある。第６オーディオデータチャネルは継続して第６増幅チャネルにひきつづき向けられる。例えば従来型Ｈｉ−Ｆｉ受信機のように本発明のシステムが補助Ｄｏｌｂｙ（登録商標）５．１音源内で利用可能であるようにバイパス入り口信号導体が備えられる。最も一般的に使われるサブウーファシステムは自己増幅されるので、この種の受信機には従来５つの増幅チャネルだけが含まれる。従って、Ｄｏｌｂｙ（登録商標）５．１システムからの第６データチャネルはＨｉ−Ｆｉ受信機を増幅されないままに放置し、サブウーファスピーカに向けられる前に増幅されなければならない。
【００１５】
スピーカシステムが含まれるキャビネットは、従来型のデスクトップ上に都合よく適合し、キャビネットの最上面にコンピュータモニタを配置するための空間を提供する比較的広くて浅いキャビネットであるように特に設計される。従って、キャビネットには、サブウーファスピーカと共に、左前方、中央前方、右前方スピーカが含まれ、これら全てはコンピュータを用いてキャビネットからの個人に向けられた出口を有する。左および右後方スピーカはリモートスピーカであり、コンピュータユーザの後方室内に配置された従来型マイクロホンスタンド等の上に取付けられることが好ましい。
【００１６】
従って、パーソナルコンピュータの使用に際してＤｏｌｂｙ（登録商標）５．１音源または他の多重チャネル源から得られる全てのデータを再生および利用するために非常に便利で経済的かつ効果的であって魅力的なシステムが提供される。このシステムは、コンピュータにおけるＤＶＤプレーヤで提供されるコンピュータゲームと関連した音響を再現するために特に適当である。従って、コンピュータゲームのプレイに際して、コンピュータユーザは、コンピュータゲームのプレイに関連する最新技術の音響経験を楽しむことができる。
【００１７】
本システムは、勿論、例えば音楽の録音等のようなコンピュータゲームと関連したもの以外の音響の再現にも利用可能である。
【００１８】
（発明の開示）
従って本発明の目的は、パーソナルコンピュータと共に使用するための改良されたオーディオ音響システムを提供することにある。
【００１９】
本発明の他の目的は、キャビネットの最上面上にコンピュータモニタを支持するために利用可能な音響システムを含む魅力的かつ都合よく形造られたキャビネットを提供することにある。
【００２０】
本発明の他の目的は、多重チャネルオーディオソースと共に使用されるオーディオ音響システムを提供することにある。Ｄｏｌｂｙ（登録商標）５．１システムはこのシステムの一例にすぎない。
【００２１】
本発明のさらに他の目的は、いくつか又は全てのオーディオデータチャネルに対して事前に増幅を提供するＨｉ−Ｆｉオーディオ受信機からの多重チャネル音源と共に代替利用可能なスピーカシステムの提供にある。
【００２２】
本発明の他の目的、特徴、および、利点は添付図面を参照しながら以下の開示を読むことにより当業者にとって容易に明白になるはずである。
【００２３】
（発明の実施の最良の形態）
図面、特に図１を参照するにあたって、本発明のスピーカシステムが示され、本発明は一般的に符号１０によって表される。スピーカシステム１０はデスクトップ１２上に配置されて示される。スピーカシステム１０は主キャビネット１４および左右リモートスピーカキャビネット１６および１８を含む。
【００２４】
リモートキャビネット１６および１８は厚さ２５ｍｍの中密度ファイバーボード（ＭＤＦ）製の前部および後部壁体、および、厚さ１５ｍｍのＭＤＦ製の側部を備えた１９５ｍｍ立方体である。これらのユニットは無限バフル、取外し可能なフォーム製格子およびマイクスタンド取付板を備える。取付板は、キャビネット底部から突出しないように内部取り付けされる。これにより、必要に応じて、キャビネットは棚取付けが可能になる。
【００２５】
パーソナルコンピュータ２０はデスクに隣接して示される。コンピュータモニタ２２はキャビネット１４上に配置されて示される。
【００２６】
キャビネット１４は図２、図４および図５によく示されている。キャビネット１４はデスクトップ１２上に置くための底部表面２４を備え、コンピュータモニタ２２を支持するための最上表面２６を備える。キャビネットは図４および図５に示すように高さ２８、奥行き３０および幅３２を有する。好ましい一実施形態において、高さ２８は約７−５／８”（１９５ｍｍ）であり、奥行き３０は約１２”（３００ｍｍ）であり、幅３２は約４８”（１，２２５ｍｍ）である。
【００２７】
一般に、キャビネットの相対寸法は、キャビネットの高さが浅く、幅は従来型デスクトップ１２の幅の大部分を横切って広がり、奥行きはデスクトップ１２の後部を占有し、同時に、キャビネット１４の正面におけるデスクトップ１２上における作業空間を実質的に妨害しないようになっている。一般に、上記の代表的な寸法は幅３２、奥行き３０、および高さ２８において、奥行き３０は高さ２８より大きく、幅３２は高さ２８の少なくとも４倍であるようなキャビネットとして表される。キャビネットの高さは少なくとも７”であるものと表してよい。また、幅３２は奥行き３０の少なくとも３倍であると表してよい。
【００２８】
図４の平面図に示すように、キャビネット１４は、キャビネットの奥行き３０がキャビネットの幅３２に沿って変化するように平面図における不規則な前部壁体３４を有する。前部壁体３４は左右スピーカ４２と４６が約１５度の角度を作る車のダッシュボードと同様の外観をもつ輪郭とする。
【００２９】
キャビネット１４は、中央部分３６および左右末端部分３８と４０を含むものと表してよく、中央部分３６はコンピュータモニタを支持するための最上表面２６を含む。
【００３０】
キャビネット１４はスピーカキャビネットの作成には音響的に非常に優れた材料である中密度ファイバーボード（ＭＤＦ）製であることが好ましい。
【００３１】
図６に概略的に示すように、キャビネット１４はキャビネットに内臓された第１、第２および第３スピーカ４２，４４、４６を含む。Ｄｏｌｂｙ（登録商標）５．１フォーマットオーディオソースと共に使用する場合には、スピーカ４２、４４、４６はそれぞれ左前部、中央前部、右前部スピーカとして機能する。
【００３２】
また、システム１０は、Ｄｏｌｂｙ（登録商標）５．１フォーマットオーディオソースと共に使用する場合、それぞれ左後部および右後部スピーカとして機能するリモートキャビネット１６と１８に内蔵された第４および第５スピーカ４８と５０を含む。
【００３３】
更に、システム１０はキャビネット１４内のチャンバ５５内に位置する２つのサブウーファスピーカ５２と５４を含む。
【００３４】
キャビネット１４の前部壁体３４は、その中にそれぞれスピーカ４２、４４、４６を受け入れる第１、第２および第３のスピーカ用開口５６、５８、６０を含む。図２に示すように、スピーカ用開口５６、５８、６０はそれぞれ適当な格子６６、６８、７０によって覆われる。
【００３５】
十分に平衡のとれたシステムを達成するために７個のスピーカ４２〜５４は全て同一タイプのスピーカエレメントを用いることが好ましい。左および右前部スピーカ４２と４６はそれぞれフルレンジ直接放射スピーカである。中央前部スピーカ４４はハイパスフィルタスピーカである。サブウーファスピーカ５２および５４はモノバンド・パス・サブバスドライバである。全てのラウドスピーカはＣＲＴ近傍に関して十分に磁気遮蔽され、サブウーファスピーカ５２と５４を除く全てのユニットは空間節約および位相コヒーレント・ポイントソース音響のための中央設置、フィルタ付き、高周波デバイスを有する。５個の直接放射スピーカ４２、４４、４６、４８、５０の各々は、長いＶｅｌｃｒｏ（登録商標）ディスクでバフルに取り付けられた、取外し可能、厚さ２０ｍｍ、音響的に透明な発泡材によって覆われる。図８および図９はキャビネット１４の内部が種々バフルによってチャンバに分割される仕方、ならびに、スピーカが取り付けられる仕方、および、種々のエレクトロニクスの配置を示す。
【００３６】
キャビネット１４は一般的に符号５５によって示される内部チャンバを有する。チャンバ５５は種々のスピーカと関連した一連のサブチャンバに分割される。
【００３７】
長さ方向のバフル１５４はキャビネット１４の幅を横切って伸延する。クロスバフル１５６はチャンバ５５の後部を第１および第２後部チャンバ部分１５８および１６０に分離する。
【００３８】
第１、第２、第３および第４の前部クロスバフル１６２、１６４、１６６、１６８は前部スピーカ４２，４４、４６を分離し、第１および第２前部チャンバ部分１７０と１７２をそれぞれ画定する。
【００３９】
第１サブウーファスピーカ５２は、第１サブウーファスピーカ５２が前方に向かって第１前部チャンバ部分１７０および後方に向かって第１後部チャンバ部分１５８の両方に放射するように、第１前部チャンバ部分１７０の中心に隣接する長さ方向バフル１５４上に取付けられる。同様に、第２サブウーファスピーカ５４は、第２サブウーファスピーカ５４が前方に向かって第２前部チャンバ部分１７２および後方に向かって第２後部チャンバ部分１６０に向かって放射するように、第２前部チャンバ部分１７２に隣接する長さ方向バフル１５４上に取付けられる。
【００４０】
次に、図８に最もよく示されるように、第１前部チャンバ部分１７０は第１垂直スロット付きポート６２を介してキャビネット１４の外部と導通し、第１後部チャンバ部分１５８は第１水平スロット付きポート６３を介してキャビネット１４の外部と導通する。スロット付きポート６２と６３を図５の正面図に更に示す。
【００４１】
図５に示すように、第２サブウーファスピーカ５４は第２垂直スロット６４および第２水平スロット付きポート６５によって同様にキャビネット１４の外部に導通する。
【００４２】
このタイプのサブバススピーカの取付けはデュアルベントバンドパスエンクロージャと称する。バンドパスは、このスピーカ構成が再生する周波数帯域を意味し、このどちらの側の周波数も除去される。このタイプの配置は自己の固有クロスオーバ周波数を持つことおよびオクターブ当たり概略１２ｄＢにおいて高い方の周波数を減衰させるという利点を有する。この配置ではサブウーファスピーカ５２および５４に到達する以前に高い方の周波数の信号が電子的に濾過されるので、この配置は本発明において使用する場合に特に有効であり、従って、高い方の可聴周波数におけるこの種の構成にしばしば関連することのあるポート付きベントにおける共振の問題は問題にはならない。
【００４３】
デュアルベントバンドパスエンクロージャの背景となる原理を次に示す。隔壁は当該エンクロージャの中心部に近い位置に配置され、バススピーカはこれの上に取付けられる。長さ方向のバフル１５４がこの種の隔壁である。この長さ方向のバフル１５４はスピーカバフルとして役立つ。前部チャンバ部分１７０はキャビネットを調整するために通気されるか、又は、スロットにポートが付けられる。この方法において、オーディオはポート６２から出力され、スピーカ５２自体から直接出力されない。水平スロット付きポート６３は第１後部チャンバ部分１５８を通気する。従って、オーディオはこの第１水平スロット付きポート６３ならびに垂直スロット付きポート６２から出力される。本配置はスピーカの運動が最大限に制御されることを可能にするので、これは、第１サブウーファスピーカ５２の組合わされたエンクロージャの低バスレスポンスを従来の「直接的放射」バスキャビネットが生成する周波数以下に拡張する。後部チャンバ部分１５８が密封されている場合には、後部チャンバ部分１５８に含まれる空気が閉じ込められていて、スピーカ５２のバスレスポンスは更に高い周波数において低下するので、サブウーファスピーカ５２は遥かに緊密に閉じられて保たれる。匹敵するレスポンスを達成するためには通常更に大きいスピーカ円錐面積を必要とする「直接放射」バス配置と比較して、図に示す配置は結果的にバスレスポンスを拡張する。
【００４４】
図４に示すように、前部壁体３４の平面図の形状が不規則であるので、結果的に第１、第２および第３スピーカ４２、４４、４６は相互に平行でない方向に向けられる。図に示す特定の実施形態においては、中央前部スピーカ４４は真正面に向けられる。左右の前部スピーカ４２と４６は中心と正面から約１５度に向けられる。
【００４５】
第１サブウーファスピーカ５２と関連したスロット付きポート６２および６３は第１と第２スピーカ用開口５６と５８との間の前部壁体３４において画定された第１サブウーファスピーカ用開口６２および６３として表されてもよい。同様に、第２サブウーファスピーカ５４と関連したスロット付きポート６４および６５は第２と第３スピーカ用開口５８と６０との間の前部壁体３４において画定されたサブウーファスピーカ用開口６４および６５と表されてもよい。
【００４６】
同様に、システム１０は、全てのユニット、２つのマイクロホンスタンド１９、および、リモートスピーカ４８と５０を増幅器７２に接続するために適した長さのスピーカケーブルのための自己接着性脚（図示せず）を含む。増幅器７２を後部スピーカ４８および５０に接続する配線は平たいテープ接着配線であってもよい。本システム１０の一利点は増幅器とスピーカとの間の全ての配線がキャビネット１４内に含まれる事であり、これによって、パーソナルコンピュータと共に使用される複数のスピーカシステムと関連した典型的な配線の「巣」が排除される。
【００４７】
次に、スピーカシステム１０に含まれる増幅器システムおよびスピーカ４２〜５４への各種接続の概略説明図を図７に示す。
【００４８】
増幅器７２には７４、７６、７８、８０、８２、８４および８６として示される第１から第７までの増幅チャネルが含まれる。増幅器構成要素の好ましい配置を図９に最もよく示す。主変圧器８７は増幅器に電力を供給する。
【００４９】
図７において明白であるように、第１〜第７までの増幅チャネル７４〜８６はそれぞれ第１〜第７までのスピーカ４２〜５４と関連する。
【００５０】
増幅チャネル７４〜８６はそれぞれ約３５〜４０ワットの電力を供給し、必要に応じて増加した電力がサブウーファスピーカ５２と５４に供給可能である。
【００５１】
増幅器構成要素７４〜８６は、例えば、ＩＬＰ  Ｄｉｒｅｃｔ  Ｌｔｄ．、Ｓｐｏｎｇｅ  Ｌａｎｅ、Ｅｌｍｓｔｅｄ、Ａｓｈｆｏｒｄ、Ｋｅｎｔ  ＵＫ  ＴＮ  ２５  ５ＪＵから入手可能なモデルＩＬＰ  ＨＹ２００１電力増幅器である。この増幅器はアルミニウム製ヒートシンク（図示せず）によって受動的に冷却される。
【００５２】
キャビネット１４は一次信号入り口ポート８８を備え、それによって、例えばコンピュータ２０などの信号源が６個のオーディオデータチャネル９２、９４、９６、９８、１００および１０２を伝送する一次入り口信号導体９０に接続される。図７に示すように第１から第５までのチャネル９２〜１００はそれぞれ第１から第５までの増幅チャネル７４〜８２と関連する。
【００５３】
オーディオデータの第６チャネル１０２はＤｏｌｂｙ（登録商標）５．１フォーマットから低周波データを伝送する。この第６チャネル１０２は２つの同じ信号１０２Ａと１０２Ｂに分割され、これらは２つのサブウーファスピーカ５２と５４と関連する第６と第７増幅器８４と８６に伝送される。第６低周波データチャネル１０２は例えば爆発、衝突、等々の事象の効果を最大限にするための追加バス情報を含む。Ｄｏｌｂｙ（登録商標）５．１フォーマットにおいて、この第６チャネルは３Ｈｚ〜１２０Ｈｚまでの限定された周波数レスポンスを有し、しばしば、Ｄｏｌｂｙ（登録商標）５．１システムの「．１」チャネルと呼ばれる。
【００５４】
一次信号入り口ポート８８は図９に示される回路板８９上に配置され、キャビネット１４に関する種々の入力および出力を伝送する。
【００５５】
一次信号入り口ポート８８において受信された一次入力信号は６個のアナログオーディオデータチャネルを含む。この一次入力信号は幾つかの方法において生成可能である。
【００５６】
この種の生成源は、多くは現在ではＤｏｌｂｙ（登録商標）５．１フォーマット化されたサウンドトラックを有するＤＶＤをプレイするＤＶＤプレーヤを有する現代パーソナルコンピュータ２０を使用する。コンピュータ２０は、このように装備されると、典型的に単一同軸ＲＣＡタイプコネクタ又は光ファイバ出力コネクタのいずれかである出力ポートを備えたサウンドカードを有し、そのどちらもＳＰ／ＤＩＦフォーマットにおけるデジタルオーディオデータの多重チャネルを伝送可能である。
【００５７】
図７に、コンピュータ２０のサウンドカードからの出力ポートが概略的に１０４として示される。コンピュータ２０は、拡張されても依然としてデジタルオーディオデータのチャネル６個を生成するために圧縮されたＤｏｌｂｙ（登録商標）５．１信号を復号するために適したエレクトロニクスを内部装備する。
【００５８】
コンピュータ２０のオーディオ信号出力ポート１０４とシステム１０の一次信号入り口ポート８８との間の或る点において、デジタルからアナログへのコンバータ１０６が使用されなければならない。コンピュータ２０の出力ポート１０４は、符号１０８によって示される適当な同軸ケーブル、光ファイバ等によって、Ｄ／Ａコンバータ１０６へ接続される。
【００５９】
Ｄ／Ａコンバータ１０６はキャビネット１４の入り口ポート８８へ接続された個別のスタンドアロン構成要素であるか、又は、キャビネット１４自体内に任意に配置されてもよい。Ｄ／Ａコンバータ１０６は、例えば、Ｍｉｎｔｏｎ  Ｏｐｔｉｃ  Ｉｎｄｕｓｔｒｙ  Ｃｏ．，Ｌｔｄ．、Ｃｈｕｎｇ  Ｈｏ  Ｃｉｔｙ、Ｔａｉｐｅｉ、Ｔａｉｗａｎから入手可能な「Ａｕｄｉｏ  Ｓｔｏｒｍ  Ｄｉｇｉｔａｌ  Ｄｅｃｏｄｅｒ  Ｂｏｘ」であってもよい。この特定Ｄ／Ａコンバータ１０６は、Ｄｏｌｂｙ（登録商標）デジタル５．１フォーマットおよびその他多くを含む全ての共通利用可能なオーディオソースをハンドリングする能力を提供する。共同利用され、かつＤ／Ａコンバータ１０６によってハンドル可能な他のフォーマットには４個のアナログデータチャネルを提供する「Ｄｏｌｂｙ（登録商標）Ｓｕｒｒｏｕｎｄ  Ｐｒｏ  Ｌｏｇｉｃ  ｓｙｓｔｅｍ」が含まれる。また、Ｄ／Ａコンバータ１０６は２つのＲＣＡコネクタによって伝送される従来の２チャネルアナログステレオの入力と共に利用可能である。また、Ｄ／Ａコンバータ１０６は、例えばＤＴＳシステムのようにＤｏｌｂｙ（登録商標）５．１システムに類似の他の多重チャネルデジタルフォーマットを受け入れるために使用可能であるか、または、そのように適応可能である。
【００６０】
コンピュータユーザが、一旦、当該ユーザのパーソナルコンピュータ２０と関連したシステム１０を有する場合には、当該ユーザはスピーカシステム１０と共に他の音源を利用することを望むことがあり得ることを理解されたい。
【００６１】
この種の代替音源は従来Ｈｉ−Ｆｉ受信機１１０において見付けることができる。現代のＨｉ−Ｆｉ受信機は典型的にＤｏｌｂｙ（登録商標）５．１能力を備え、５個の増幅チャネルを含むので、その結果として、受信機１１０の出力ポート１１２において利用可能な６個のアナログオーディオデータチャネルが得られる。これら５個のオーディオデータチャネルは増幅され、機械的スピーカへ向けられる準備が整えられ、第６低周波データチャネルは増幅されない。典型的にサブウーファスピーカシステムは、現在利用可能であるように、自己増幅を含む能動的システムであるので第６チャネルは増幅されない。
【００６２】
従って、Ｈｉ−Ｆｉ受信機１１０を音源として利用するためには、その出口１１２は、適当なケーブル１１４によって、キャビネット１４のバイパス入り口ポート１１６へ接続される。
【００６３】
出口１１２および入り口ポート１１６は、実際に、６個の個別ステレオジャック接続で構成可能であり、ケーブル１１４は６個の個別ケーブルで構成可能であることを理解されたい。
【００６４】
次に、ケーブル１１４を介してバイパス入り口ポート１１６に伝送される６個のアナログオーディオデータチャネルはバイパス入り口導体１１８によって伝送される。最初の５個のチャネル１２０、１２２、１２４、１２６および１２８は増幅器７２の最初の５増幅段階をバイパスし、それぞれ、スピーカ４２、４４、４６、４８および５０へ直接行く。これらの信号はＨｉ−Ｆｉ受信機１１０において増幅済みであるので、更なる増幅の必要は無い。増幅されない第６低周波オーディオデータチャネル１３０は増幅器７２の第６および第７増幅チャネル８４および８６に伝送され、ここで、２つのサブウーファスピーカ５２と５４に伝送される以前に増幅可能である。
【００６５】
従って、バイパス入り口ポート１１６およびバイパス入り口導体１１８は、最初の５個のアナログオーディオデータチャネルを最初の５個のスピーカへ直接バイパスするように機能し、他方において、第６低周波データチャネルをシステム１０のサブウーファスピーカと関連した増幅器へ伝送する。
【００６６】
前部壁体３４は図３に詳細に示される制御パネル１３２を含む。制御パネル１３２は４個の個別音量調節器を有する。第１音量調節器１３４は左右前部スピーカ４２および４６を制御する。第２音量調節器１３６は左右後部スピーカ４８および５０を制御する。第３音量調節器１３８は中央前部スピーカ４４を制御する。第４音量調節器１４０は２個のサブウーファスピーカ５２および５４を制御する。
【００６７】
また、制御パネル１３２は関連インジケータ灯１４４を備えた電源オン／オフボタン１４２を含む。また、関連インジケータ灯１４８を備えたテストボタン１４６も備える。最後に、関連インジケータ灯１５２を備えたＤｏｌｂｙ（登録商標）オン／オフ１５０も備える。
【００６８】
従って、本発明の装置は、既に述べた目的および利点ならびに当該装置に固有のそれらを容易に達成することが分かる。本発明の目的に関して、本発明の特定の好ましい実施形態について図示および記述したが、当業者による部分的な配置および構造の多数の変更が可能なはずであるが、この種の変更は添付特許請求の範囲による定義に従った本発明の範囲および精神に含まれる。
【図面の簡単な説明】
【図１】  従来のマイクロホンスタンド上のデスクの前に配置された図示のリモートスピーカと共に従来のデスク上のパーソナルコンピュータおよびモニタによって組み立てられた本発明のスピーカシステムの斜視図である。
【図２】  キャビネットの最上表面上に設置されたコンピュータモニタを有するスピーカシステムのキャビネットの拡大された斜視図である。
【図３】  図２のスピーカシステムの制御パネルの拡大された正面図である。
【図４】  図２のシステムのキャビネットの平面図である。
【図５】  図４のキャビネットの正面立面図である。
【図６】  エレクトロニクスボードの配置およびキャビネットに含まれるスピーカに関連した各種バフリング等の配置を含むキャビネットの内部構成を示す図５の線６−６に沿った横断平面図である。
【図７】  図２のキャビネットに含まれる増幅器システムおよびコンピュータから又はその代わりにＨｉ−Ｆｉ受信機からのＤｏｌｂｙ（登録商標）５．１信号へのその接続の電気概略説明図である。
【図８】  サブバススピーカがキャビネット内に取付けられる方法およびキャビネットのポーティングを示す図４の線８−８に沿った概略横断面図である。
【図９】  キャビネット内に取付けられた内部バフリングおよびスピーカを示す図６の拡大図である。
【符号の説明】
１０  スピーカシステム
１２  デスクトップ
１４  キャビネット
１６，１８  リモートスピーカキャビネット
１９  マイクロホンスタンド
２０  パーソナルコンピュータ
２２  コンピュータモニタ
４２，４４，４６，４８，５０，５２，５４  スピーカ
５５，１５８，１６０，１７０，１７２  チャンバ
５６，５８，６０  スピーカ用開口
６６，６８，７０  格子
７２  増幅器
７４，７６，７８，８０，８２，８４，８６  増幅チャネル
８７  変圧器
９２，９４，９６，９８，１００，１０２  オーディオデータチャネル
１０６  Ｄ／Ａコンバータ
１１０  Ｈｉ−Ｆｉ受信機
１２０，１２２，１２４，１２６，１２８  チャネル
１５４，１５６，１６２，１６４，１６６，１６８  バフル
【図１】
0003679367.tif 000002
【図２】
0003679367.tif 000003
【図３】
0003679367.tif 000004
【図４】
0003679367.tif 000005
【図５】
0003679367.tif 000006
【図６】
0003679367.tif 000007
【図７】
0003679367.tif 000008
【図８】
0003679367.tif 000009
【図９】
0003679367.tif 000010